(57)【要約】【課題】種々の文字、図柄、人物、風景を表したものなど、容易に様々なデザインを施したものとすることを可能とし、ギフト商品としての利用や、一般消費者用としての利用面においても、商品としての魅力を高めた浄水ポットを提供する。【解決手段】本体容器１の内部に設けたカートリッジ収容部２に浄水カートリッジ３を装着できるようにした浄水ポットであって、浄水カートリッジ３の周囲に適宜の表示を付した表示シート４を保持し、本体容器１を透過して表示シート４の表示が見えるようにしたものとしている。表示シート４は、カートリッジ収容部２の周壁とそれを囲む透明な外壁との間の隙間に保持させるものとすることができる。【選択図】図１
2011110526.tif 000002
【特許請求の範囲】
【請求項１】
本体容器（１）の内部に設けたカートリッジ収容部（２）に浄水カートリッジ（３）を装着できるようにした浄水ポットであって、浄水カートリッジ（３）の周囲に適宜の表示を付した表示シート（４）を保持し、本体容器（１）を透過して表示シート（４）の表示が見えるようにしたことを特徴とする浄水ポット。
【請求項２】
カートリッジ収容部（２）の周壁（２３）を囲む透明な外壁（２４）を設け、前記周壁（２３）と外壁（２４）との間の隙間（２８ａ）に適宜の表示を付した表示シート（４）を保持するようにした請求項１記載の浄水ポット。
【発明の詳細な説明】
【技術分野】
【０００１】
この発明は、本体容器の内部に収容した浄水カートリッジにより、水道水の水質を改善できるようにした浄水ポットに関するものである。
【背景技術】
【０００２】
本体容器の内部に浄水カートリッジを収容するカートリッジ収容部を設けた構成の浄水ポットとしては、特許文献１に記載の家庭用浄水器がある。
【０００３】
この家庭用浄水器は、水こしつぼ１０の中に、円筒形側壁１２、ベース１３、およびその縁部の回りに形成される外方へ延びる周辺フランジ１４を有するカップ状のホッパー１１を取り付けたものであり、ベース１３は、フランジ１４から中央における開口部１５まで半径方向に内方へ傾斜し、開口部１５は、フランジ１４から離れたベース部分１３と一体でありかつベース部分から延びるチューブ状部分１６により形成され、チューブ状部分１６の端部は、半径方向に内方へ向けられるフランジ１７を形成しており、フランジ１７は、浄水カートリッジ（カップ状入れ物２１）の縁部の回りに形成される半径方向外方へ延びる周辺フランジ１９用の環状座を提供するものとなっている。
【０００４】
従来のこの種の浄水ポットは、浄水カートリッジが着脱自在で、適宜間隔で新しいものに交換することができるが、デザイン面や広告効果等に関し、浄水ポットにおいて外から見える領域を活用するという観点での改良は特に行われていなかったため、ギフト商品としての利用や、一般消費者用としての利用面においても、商品としての魅力に物足らない点があった。
【先行技術文献】
【特許文献】
【０００５】
【特許文献１】特表２００１−５０２５９６号公報
【発明の概要】
【発明が解決しようとする課題】
【０００６】
そこで、この発明は、種々の文字、図柄、人物、風景を表したものなど、容易に様々なデザインを施したものとすることを可能とし、ギフト商品としての利用や、一般消費者用としての利用面においても、商品としての魅力を高めた浄水ポットを提供することを課題とする。
【課題を解決するための手段】
【０００７】
前記課題を解決するため、この発明は次のような技術的手段を講じている。
【０００８】
この発明の浄水ポットは、本体容器１の内部に設けたカートリッジ収容部２に浄水カートリッジ３を装着できるようにした浄水ポットであって、浄水カートリッジ３の周囲に適宜の表示を付した表示シート４を保持し、本体容器１を透過して表示シート４の表示が見えるようにしたものとしている。
【０００９】
また、カートリッジ収容部２の周壁２３を囲む透明な外壁２４を設け、前記周壁２３と外壁２４との間の隙間２８ａに適宜の表示を付した表示シート４を保持するようにしたものとすることができる。
【発明の効果】
【００１０】
この発明の浄水ポットは、上述のような構成を有しており、種々の文字、図柄、人物、風景等を表した表示シート４を使用することにより、容易にカートリッジ収容部２の周囲を様々なデザインを施したものとすることが可能であり、ギフト商品としての利用、又は、一般消費者用としての利用面において、商品としての魅力を高めた浄水ポットを提供することができる。
【図面の簡単な説明】
【００１１】
【図１】この発明の第１実施形態の浄水ポットの正面図である。
【図２】この発明の第１実施形態の浄水ポットの縦断面図である。
【図３】この発明の第１実施形態の浄水ポットのインナーケースの縦断面図である。
【図４】Ａ−Ａ線断面図（カートリッジ収容部の横断面図）である。
【図５】この発明の第１実施形態の浄水ポットの表示シートの正面図である。
【図６】この発明の第２実施形態の浄水ポットの縦断面図である。
【図７】この発明の第２実施形態の浄水ポットの表示シートの断面図である。
【発明を実施するための形態】
【００１２】
以下、この発明の好適な実施形態を、図面を参照して説明する。
図１はこの発明の第１実施形態の浄水ポットの正面図、図２は縦断面図、図３はインナーケース７の縦断面図、図４はＡ−Ａ線断面図（カートリッジ収容部２の横断面図）、図５は表示シート４の正面図である。
【００１３】
この第１実施形態の浄水ポットは、本体容器１の内部に設けた浄水カートリッジ３を収容するカートリッジ収容部２の周壁２３を囲む透明な外壁２４を設け、前記周壁２３と外壁２４との間の隙間２８ａに適宜の表示を付した表示シート４を保持するようにしている。
【００１４】
この浄水ポットは、図１、図２に示したように、上方に開口した縦長の透明な本体容器１と、本体容器１の開口部を塞ぐ蓋５と、右側の側面を覆うカバー６と、本体容器１の内部に設けられる透明なインナーケース７等から構成される。各構成部材は、ポリプロピレン、ＡＳ樹脂等の各種のプラスチック製とすることができる。
【００１５】
本体容器１は、図中左側の上部が上方に向かって突出し、その上端に注ぎ口８８が形成され、注ぎ口８にはキャップ９が設けられている。
【００１６】
インナーケース７は、本体容器１に上方から挿入され、その上端周囲に形成されたフランジ７０により、本体容器１の開口部に係止されるようにしたものであり、本体容器１の中央より少し下の位置に至る深さを有している。
【００１７】
インナーケース７は、上部と下部とで、左右及び前後方向の大きさが異なる２段構成となっており、上部が本体容器１の内面にほぼ接する程度の大きさで、その下部がそれより小さな有底の楕円筒状のカートリッジ収容部２として構成されている。
【００１８】
カートリッジ収容部２は、上端周縁２０がその下方より拡径した形状となっており、ここに、上方から挿入した浄水カートリッジ３の上部のフランジ３０を係止させるようにしている。また、カートリッジ収容部２の下端周縁２１は下方に少し突出しており、底には浄水カートリッジ３から出てくる水を本体容器１の下部に落とすための孔２２が設けられている。浄水カートリッジ３は、上方から注がれた水を、内部の活性炭や不織布等（図示省略）を通して浄化し、下方に流れ出させるようにしたものとしている。
【００１９】
この浄水ポットは、浄水カートリッジ３をカートリッジ収容部２に装着した状態にし、本体容器１の上方の蓋５を開放して水道水等を本体容器１内に注ぎ込むと、注ぎ込まれた水が、浄水カートリッジ３により浄化され、インナーケース７の底の孔２２を通って本体容器１の下部に溜まり、そして、本体容器１を傾けることにより、注ぎ口８から浄化された水を注ぎ出すことができるようになっている。
【００２０】
図３、図４に示したように、カートリッジ収容部２の周壁２３を囲む透明な外壁２４は、前記周壁２３よりやや大きな楕円筒状であり、その上端部２５がカートリッジ収容部２の上端周縁２０の外周に形成された周溝に装着されたＯリング２６を介して取り付けられている。また、外壁２４の下端部２７は、カートリッジ収容部２の前記突出した下端周縁２１の内側に回り込むようにするとともに、前記周壁２３と外壁２４との間の隙間２８ａに水が浸入しないように密閉状態となるようにしている。なお、外壁２４の下端部２７と下端周縁２１との接触箇所２９aと、外壁２４の上端部２５の上端面とインナーケース７との接触箇所２９ｂは、超音波溶着されていることが望ましい。
【００２１】
このように、第１実施形態の浄水ポットは、インナーケース７の上部と下部（カートリッジ収容部２）との段差、ないしカートリッジ収容部２の上端部２５とその下方の部分との段差により生じるスペースを有効に利用して、二重構造の壁を構成し、表示シート４を保持する隙間２８ａを設けている。
【００２２】
前記周壁２３と外壁２４との間の隙間２８ａに保持される表示シート４は、図５に示したように、傾斜した外壁２４の内面に沿うように、展開状態では少し湾曲した長方形状となっており、片面に適宜の文字、図柄、人物、風景等のデザイン（この実施形態の図では星印）を印刷したものであり、材質は紙、プラスチック等適宜のものとすることができる。
【００２３】
表示シート４は、周壁２３と外壁２４との間の隙間２８ａに曲げられた状態で挿入され、その曲げ回復性により外壁２４の内面に添うようにすることが望ましい。この実施形態では、カートリッジ収容部２の周壁２３及びそれを囲む外壁２４の横断面が楕円形であり、表示シート４も横断面が楕円形になるように保持されるようにしている。
【００２４】
前記隙間２８ａに保持された表示シート４の横断面が楕円形になると、この楕円形の長軸の両端付近の部分の曲率が大きくなるため、表示シート４は特にこの曲率が大きい２箇所で曲げ回復力が強く作用し、安定した状態で保持されることになる。表示シート４は、図示したように前記楕円形の隙間２８ａ全周にわたる長さのものでなくてもよいが、半周以上の長さとすることが望ましい。なお、前記周壁２３、外壁２４、隙間２８ａの形状は、前述のような楕円形に限定されず、適宜形状として実施することができる。
【００２５】
この浄水ポットを企業のＰＲ等のためのギフト用として実施する場合には、表示シート４に、企業のロゴマークや、商品のマーク、写真等を表示したものとすることができる。カートリッジ収容部２の周壁２３を囲む外壁２４は、着脱不可能な防水構造であるため、表示シート４が勝手に取り替えられることはないので、常に製造時の表示シート４の印刷内容を維持することができる。表示シート４は、安価な紙製やフィルム製とすることができるので、小ロットの生産にも適している。
【００２６】
図６はこの発明の第２実施形態の浄水ポットの縦断面図、図７はその表示シート４の断面図である。この第２実施形態の浄水ポットは、浄水カートリッジ３とカートリッジ収容部２の透明な周壁２３との間の隙間２８ｂに、適宜の表示を付した表示シート４を保持するようにしたものとしている。
【００２７】
基本的な構成は第１実施形態と同様であるが、第１実施形態におけるカートリッジ収容部２の周壁２３を囲む透明な外壁２４とＯリング２６を除去し、表示シート４をプラスチック製にして、浄水カートリッジ３とカートリッジ収容部２の周壁２３との間の隙間２８ｂに保持させるようにしている。表示シート４は、曲げ回復性により周壁２３の内面に添うようにしていることが望ましい。
【００２８】
第２実施形態においては、表示シート４が保持される隙間２８ｂは密閉状態にならないため、表示シート４が水に濡れてインクが溶け出したりするおそれがあり、このようなことによって衛生上の問題が生じないようにすることは勿論、表示内容が損なわれないようにする必要がある。
【００２９】
そのため、表示シート４は、印刷面にコーティングが施された防水性を有するものとすることが望ましい。あるいは、図７に示したように２枚のプラスチックフィルム４ａ，４ｂを接合したものであって、一方のプラスチックフィルム４ａの他方のプラスチックフィルム４ｂとの接合面４０に適宜の文字、図柄、人物、風景等のデザインを印刷したものとしてもよい。
【００３０】
前記プラスチックフィルム４ａ，４ｂは、ＰＥＴ樹脂製等とし、この２枚のプラスチックフィルム４ａ，４ｂを接着剤により貼り合わせて接合したものとすることができる。
【００３１】
この第２実施形態の浄水ポットは、表示シート４を取り替えることができるためギフト用だけではなく、一般用（一般の消費者が購入して使用するもの）として実施することにも適している。使用者は、表示シート４を好みのものに変更して、様々なデザインを楽しむことができる。
【００３２】
第１実施形態と第２実施形態とは、カートリッジ収容部２の周壁２３を囲む透明な外壁２４、Ｏリング２６及び表示シート４の構成のみが異なり、大部分の部材が共通し、製造工程も共通化できるので、必要に応じて臨機応変に第１実施形態と第２実施形態とを切り替えて製造することが可能である。
【００３３】
なお、この発明は、前述の実施形態に限定されるものではなく、素材、形状、寸法等を適宜変更して実施することができる。
【符号の説明】
【００３４】
１  本体容器
２  カートリッジ収容部
２３  周壁
２４  外壁
２８ａ  隙間
３  浄水カートリッジ
４  表示シート
【図１】
2011110526.tif 000003
【図２】
2011110526.tif 000004
【図３】
2011110526.tif 000005
【図４】
2011110526.tif 000006
【図５】
2011110526.tif 000007
【図６】
2011110526.tif 000008
【図７】
2011110526.tif 000009